(57)【要約】      （修正有）【課題】スマートメーターから取り外された通信ユニットを、スマートメーターに隣接して保持することができ、スマートメーターと通信ユニットとの通信状態を維持しつつ配線作業を安全に実施できるようにすること。【解決手段】電気諸量を測定する測定部が収容される第１筐体１１０と、前記測定部から取得される電気諸量を示すデータを通信する通信部が収容される第２筐体１３０と、電力ケーブルが接続される端子部１２０と、を含んで構成されるスマートメーターに用いられる筐体保持具１０であって、前記スマートメーターから取り外された前記第２筐体が、前記端子部が露出した状態において、前記第１筐体に隣接するように、前記第１筐体と前記第２筐体の間に介在して前記第２筐体を保持することを特徴とする。【選択図】図１
2018059764.tif 000002
【特許請求の範囲】
【請求項１】
電気諸量を測定する測定部が収容される第１筐体と、前記測定部から取得される電気諸量を示すデータを通信する通信部が収容される第２筐体と、電力ケーブルが接続される端子部と、を含んで構成されるスマートメーターに用いられる筐体保持具であって、
前記スマートメーターから取り外された前記第２筐体が、前記端子部が露出した状態において、前記第１筐体に隣接するように、前記第１筐体と前記第２筐体の間に介在して前記第２筐体を保持する
ことを特徴とする筐体保持具。
【請求項２】
前記筐体保持具は、
前記第１筐体の天面に引っかけられる引掛片と、
前記第１筐体の前記天面と底面の間に介在する周面から離れるように延びて、前記第２筐体を保持する保持片と、
前記引掛片および前記保持片をつなぐように、前記第１筐体の前記周面に沿って設けられる平板と、
を備えることを特徴とする請求項１に記載の筐体保持具。
【請求項３】
前記第１筐体の前記天面と前記底面との間の距離に応じて、前記引掛片と前記保持片の間の距離を調整する調整部材
をさらに備えることを特徴とする請求項２に記載の筐体保持具。
【請求項４】
前記スマートメーターは、前記第１筐体の底面の下方側に挿入孔を有し、
前記筐体保持具は、
前記挿入孔と嵌り合う突起片と、
前記第１筐体の天面と底面の間に介在する周面に沿うように、前記第１筐体の前記底面から前記天面に向かう方向に延びて、前記第２筐体を保持する保持片と、
前記突起片および前記保持片をつなぐように、前記第１筐体の前記底面に沿って設けられる平板と、
を備えることを特徴とする請求項１に記載の筐体保持具。
【請求項５】
前記挿入孔と前記周面との間の距離に応じて、前記突起片と前記保持片の間の距離を調整する調整部材
をさらに備えることを特徴とする請求項４に記載の筐体保持具。
【発明の詳細な説明】
【技術分野】
【０００１】
本発明は、筐体保持具に関する。
【背景技術】
【０００２】
例えば、携帯通信端末の着脱が容易な車両用携帯通信端末保持具が知られている。（例えば特許文献１）。
【先行技術文献】
【特許文献】
【０００３】
【特許文献１】特開２０１５−１６３４９１号
【発明の概要】
【発明が解決しようとする課題】
【０００４】
特許文献１に係る車両用携帯通信端末保持具は、携帯通信端末を腕状部材で挟持して保持する部材である。車両用携帯通信端末保持具は、携帯通信端末を保持する方向（縦方向または横方向）にかかわらず固定することができる。しかし、このような車両用携帯通信端末保持具では、携帯通信端末を保持することはできるものの、スマートメーターの通信ユニットを保持することはできない。
【０００５】
作業員は、スマートメーターの配線作業をするときに、通信ユニットを取り外して端子部を露出させる。また、作業員は、設備管理上の必要なこととして、スマートメーター本体と通信ユニットを通信可能に接続した状態で配線作業をする必要がある。それゆえ、通信ユニットをスマートメーター本体に隣接させた状態、つまり、通信ユニットとスマートメーターとが通信ケーブルで接続された状態で作業をしなければならない。そこで、作業員は、粘着性材料を用いて、通信ユニットをスマートメーターに接着することにより通信状態を維持していた。しかし、粘着性材料の粘着力が弱っていると、作業中に通信ユニットがスマートメーターから外れて、作業に支障を及ぼす虞があった。
【課題を解決するための手段】
【０００６】
前述した課題を解決する主たる本発明は、電気諸量を測定する測定部が収容される第１筐体と、前記測定部から取得される電気諸量を示すデータを通信する通信部が収容される第２筐体と、電力ケーブルが接続される端子部と、を含んで構成されるスマートメーターに用いられる筐体保持具であって、前記スマートメーターから取り外された前記第２筐体が、前記端子部が露出した状態において、前記第１筐体に隣接するように、前記第１筐体と前記第２筐体の間に介在して前記第２筐体を保持することを特徴とする。
【０００７】
本発明の他の特徴については、添付図面及び本明細書の記載により明らかとなる。
【発明の効果】
【０００８】
本発明によれば、スマートメーターから取り外された通信ユニットを、それに隣接して保持することができるため、スマートメーターと通信ユニットとの通信状態を維持しつつ配線作業を安全に実施できる。
【図面の簡単な説明】
【０００９】
【図１】第１実施形態に係る筐体保持具の一例を示す斜視図である。
【図２】第１実施形態に係る筐体保持具の一例を示す側面図である。
【図３】第１実施形態に係る筐体保持具の一例を示す分解斜視図である。
【図４】第２実施形態に係る筐体保持具の一例を示す斜視図である。
【図５】第２実施形態に係る筐体保持具の一例を示す側面図である。
【図６】第２実施形態に係る筐体保持具の一例を示す分解斜視図である。
【図７】本実施形態に係るスマートメーターの一例を示す斜視図である。
【発明を実施するための形態】
【００１０】
本明細書および添付図面の記載により、少なくとも以下の事項が明らかとなる。なお、以下説明において、Ｘ軸はスマートメーター１００が設置された状態におけるスマートメーター１００の前背面の方向に沿う軸であり、Ｙ軸はスマートメーター１００が設置された状態における鉛直方向に沿う軸であり、Ｚ軸はスマートメーター１００が設置された状態におけるスマートメーター１００の幅方向に沿う軸である。また、図１〜図７において、同一の部材については同一の数字を付して説明する。また、Ｘ軸に沿う方向を「Ｘ方向」と示し、Ｙ軸に沿う方向を「Ｙ方向」と示し、Ｚ軸に沿う方向を「Ｚ方向」と示すこともある。また、「Ｘ方向」、「Ｙ方向」、「Ｚ方向」のそれぞれにおける＋側には「＋」を付けて示し、−側には「−」を付けて示すこともある。また、Ｘ軸とＹ軸とを含む平面で区切った断面を「ＸＹ断面」と示し、Ｘ軸とＺ軸とを含む平面で区切った断面を「ＸＺ断面」と示すこともある。
【００１１】
＝＝＝スマートメーター１００＝＝＝
以下、図７を参照しつつ、本実施形態に係る筐体保持具１０，２０を適用するスマートメーター１００について説明する。図７は、本実施形態に係るスマートメーター１００の一例を示す斜視図である。
【００１２】
スマートメーター１００とは、通信機能を備えた電力量計である。スマートメーター１００は、例えば測定機能を備える第１筐体１１０と、複数の端子１２１で構成される端子部１２０と、通信機能を備える第２筐体１３０と、を含んで構成されている。なお、以下説明において、スマートメーター１００が設置された状態において、第１筐体１１０の＋Ｙ方向側の面を「天面」と称し、第１筐体１１０の＋Ｘ方向側の面を「前面」と称し、第１筐体１１０の−Ｙ方向側の面を「底面」と称して説明することがある。
【００１３】
第１筐体１１０は、例えばスマートメーター１００の上部側（＋Ｙ方向側）に設けられている。第１筐体１１０は、測定部（不図示）が包含されている筐体である。測定部は、例えば端子部１２０の二次側への電力供給における、電流値、電圧値、力率、電力量など（以下、「電気諸量」と称する。）を測定する装置である。第１筐体１１０の測定部は、例えば後述する第２筐体１３０の通信部（不図示）と、通信ケーブル１４０を介して通信可能に接続されている。つまり、第１筐体１１０の測定部は、通信部を介して電気諸量を外部のネットワークに出力している。
【００１４】
端子部１２０は、複数の端子１２１で構成されている。端子部１２０は、例えばスマートメーター１００の下部側（−Ｙ方向側）に設けられている。また、端子部１２０は、例えば第１筐体１１０から凹むように奥まったところに設けられている。端子部１２０の端子１２１には、配電線（不図示）から分岐された電力ケーブルおよび負荷設備（不図示）につながる電力ケーブルが接続される。つまり、通常の運用状況において、端子部１２０には１００Ｖまたは２００Ｖ系統の電圧が印加されている。
【００１５】
第２筐体１３０は、通信部が包含されている筐体である。通信部は、例えば外部のネットワークと接続されて、電気諸量を外部に伝送する装置である。第２筐体１３０の通信部は、例えば第１筐体１１０の測定部と、通信ケーブル１４０を介して通信可能に接続されている。第２筐体１３０は、例えば端子部１２０が隠れるように配置されている。第２筐体１３０は、例えばスマートメーター１００の挿入孔１０１と嵌り合う凸部１３１を有する。通常の運用状況において、第２筐体１３０は、スマートメーター１００の挿入孔１０１に凸部１３１が嵌合して固定されている。図示していないが、通常の運用状況では、第２筐体１３０は、例えば絶縁性の防護カバー（不図示）で覆われている。防護カバーは、第２筐体１３０および端子部１２０を覆うように設けられている。充電されている端子部１２０に、人やモノが接触するのを防止するためである。
【００１６】
スマートメーター１００の管理者は、端子部１２０に電力ケーブルを着脱する作業を行う。上述したように、端子部１２０に電力ケーブルを着脱するときには、防護カバーを外さなければならない。さらに、端子部１２０を露出させるために、第２筐体１３０をスマートメーター１００から取り外さなければならない。しかし、スマートメーター１００の管理上、第１筐体１１０と第２筐体１３０との通信状態を確保した状態を維持しつつ作業をしなければならない。つまり、測定部と通信部が通信ケーブル１４０で接続されている状態を維持しなければならない。したがって、第１筐体１１０と第２筐体１３０との距離が通信ケーブル１４０の延長を超えないように、第１筐体１１０の近くで第２筐体１３０を保持しつつ作業する必要がある。
【００１７】
そこで、スマートメーター１００から第２筐体１３０を取り外した状態において、第２筐体１３０を第１筐体１１０に隣接して保持するために、筐体保持具１０，２０をスマートメーター１００に接続する。以下、筐体保持具について、詳細に説明をする。
【００１８】
＝＝＝第１実施形態に係る筐体保持具１０＝＝＝
図１、図２、図３を参照しつつ、第１実施形態に係る筐体保持具１０について説明する。図１は、第１実施形態に係る筐体保持具１０の一例を示す斜視図である。図２は、第１実施形態に係る筐体保持具１０の一例を示す側面図である。図３は、第１実施形態に係る筐体保持具１０の一例を示す分解斜視図である。なお、図２では、通信ケーブル１４０を省略して示している。
【００１９】
図１、図２に示すように、筐体保持具１０が第１筐体１１０に配置された状態において、筐体保持具１０の一端部は、第１筐体１１０の天面（＋Ｙ方向側の面）に引っ掛けられるように形成されている。また、筐体保持具１０の一端部から他端部にわたる部分は、第１筐体１１０の前面（＋Ｘ方向側の面）に沿って延びるように形成されている。また、筐体保持具１０の他端部は、第１筐体１１０の前面から離れるように延びて、その先端部分で第２筐体１３０を保持するように形成されている。これにより、第２筐体１３０は、第１筐体１１０と隣接するように保持される。さらに、第２筐体１３０の下側（−Ｙ方向側）の先端部分が第１筐体１１０の底面（−Ｙ方向側の面）よりも上側（＋Ｙ方向側）で保持されるように、一端部から他端部までの長さを調整できるように構成されている。これにより、前面に向かって見たときに、第２筐体１３０が端子部１２０と重ならないように保持されるため、作業員の配線作業の支障とならない。以下、筐体保持具１０の構成について、詳細に説明をする。
【００２０】
＝＝筐体保持具１０の構成＝＝
図３に示すように、筐体保持具１０は、例えば、引掛片１１と、平板１２と、保持片１３と、を含んで構成される。
【００２１】
引掛片１１は、筐体保持具１０の一端部に設けられる部材である。引掛片１１は、例えば筐体保持具１０が第１筐体１１０に配置された状態において、＋Ｚ方向から見てＬ型形状を呈し、Ｚ方向の幅を有する。引掛片１１は、例えば絶縁材料で形成されている。絶縁材料は、例えばポリカーボネートやアクリルなどである。引掛片１１は、その折曲部分から一方の端部にわたる平面を第１筐体１１０の天面と接触させる。そして、折曲部分から他方の端部にわたる平面が第１筐体１１０の前面と対向するように配置される。つまり、引掛片１１は、第１筐体１１０の天面に引っ掛けられるように配置される。引掛片１１は、少なくとも片方の端部に第１嵌入孔１１Ａを有する。第１嵌入孔１１Ａは、後述する平板１２が嵌入される孔である。第１嵌入孔１１Ａの内周面には、例えばゴム状の滑り止めが設けられている。これにより、容易に抜け出さないように、平板１２の嵌入された状態を保持できる。
【００２２】
平板１２は、筐体保持具１０の一端部と他端部との間に設けられる部材である。平板１２は、例えば、略直方体の平板形状を呈し、絶縁材料で形成されている。絶縁材料は、例えば、ポリカーボネートやアクリルなどである。平板１２は、第１嵌入孔１１Ａと嵌合する大きさの断面（ＸＺ断面）を有する。平板１２の長手方向（Ｙ方向）の長さは、平板１２が第１嵌入孔１１Ａに嵌合された状態において、平板１２の−Ｙ方向側の端部が第１筐体１１０の底面よりも上側（＋Ｙ方向側）にくる長さとする。前面に向かって見たときに、平板１２と端子部１２０とが重ならないように構成するためである。平板１２の端部の表面は、第１嵌入孔１１Ａから容易に抜け出さないように、摩擦力を生じるような凹凸を有する表面形状であることが好ましい。
【００２３】
保持片１３は、筐体保持具１０の他端部に設けられる部材である。保持片１３は、例えば筐体保持具１０が第１筐体１１０に配置された状態において、＋Ｚ方向から見てＬ型形状を呈し、Ｚ方向の幅を有する。保持片１３は、例えば絶縁材料で形成されている。絶縁材料は、例えばポリカーボネートやアクリルなどである。保持片１３は、一方の端部に平板１２が挿入される貫通孔１３Ａを有する。貫通孔１３Ａは、一方の端部から直線的に反対側に向かって貫通する孔である。これにより、平板１２は、保持片１３の内部を貫通することができる。つまり、保持片１３は、平板１２が貫通孔１３Ａを突き抜ける長さに応じて、第２筐体１３０の位置を調整することができる。なお、保持片１３の貫通孔１３Ａと、平板１２と、を含んで調整部材ということもある。保持片１３は、他方の端部に第２筐体１３０の凸部１３１が挿入される第２嵌入孔１３Ｂを有する。第２嵌入孔１３Ｂは、凸部１３１と嵌合する大きさの孔である。第２嵌入孔１３Ｂの深さは、凸部１３１の突出長さよりも深く形成されている。第２嵌入孔１３Ｂの内周面には、例えばゴム状の滑り止めが設けられている。これにより、容易に抜け出さないように、凸部１３１が挿入された状態を保持できる。
【００２４】
＝＝筐体保持具１０の使用手順＝＝
図１、図２、図３を参照しつつ、第１実施形態に係る筐体保持具１０の使用手順について、以下のとおり説明する。
【００２５】
作業員は、作業対象のスマートメーター１００を確認する。作業員は、感電を防止するために絶縁手袋を装着する。作業員は、スマートメーター１００の保護カバー（不図示）を取り外す。作業員は、第２筐体１３０および端子部１２０を確認する。図１に示すように、作業員は、スマートメーター１００の挿入孔１０１から第２筐体１３０の凸部１３１を取り外す。そして、第２筐体１３０が取り外された状態において、第１筐体１１０と第２筐体１３０が通信ケーブル１４０で接続されていることを確認する。
【００２６】
作業員は、筐体保持具１０の各部材（引掛片１１、平板１２、保持片１３）を準備する。図３に示すように、作業員は、筐体保持具１０を組み立てる。先ず、引掛片１１の第１嵌入孔１１Ａに平板１２の一方の端部を挿入する。作業員は、平板１２が第１嵌入孔１１Ａから容易に抜け出さないことを確認する。次に、平板１２の他方の端部を保持片１３の貫通孔１３Ａに貫入する。作業員は、平板１２が貫通孔１３Ａから容易に抜け出さないことを確認する。この状態において、作業員は、筐体保持具１０の引掛片１１を第１筐体１１０の天面に引っ掛ける。そして、第２筐体１３０の凸部１３１を保持片１３の第２嵌入孔１３Ｂに嵌入する。図２に示すように、第２筐体１３０は、筐体保持具１０を介して第１筐体１１０の天面から吊り下げられる。作業員は、第２筐体１３０の先端部（−Ｙ方向側の端部）が第１筐体１１０の底面よりも上側（＋Ｙ方向側）で保持されるように調整する。図１に示すように、第２筐体１３０の先端部の高さ調整は、保持片１３を平板１２に沿って上下（Ｙ方向）させることにより行う。これにより、第２筐体１３０と端子部１２０とが重ならないように配置できるため、第２筐体１３０が端子部１２０の配線作業の支障にならず、第２筐体１３０を第１筐体１１０に保持することができる。
【００２７】
＝＝＝第２実施形態に係る筐体保持具２０＝＝＝
図４、図５、図６を参照しつつ、第２実施形態に係る筐体保持具２０について説明する。図４は、第２実施形態に係る筐体保持具２０の一例を示す斜視図である。図５は、第２実施形態に係る筐体保持具２０の一例を示す側面図である。図６は、第２実施形態に係る筐体保持具２０の一例を示す分解斜視図である。なお、図５では、通信ケーブル１４０を省略して示している。
【００２８】
図４、図５に示すように、筐体保持具１０がスマートメーター１００に配置された状態において、筐体保持具２０の一端部は、スマートメーター１００の挿入孔１０１に嵌合するように形成されている。また、筐体保持具２０の一端部から他端部にわたる部分は、第１筐体１１０の底面に沿うように挿入孔１０１から第１筐体１１０の前面に向かって形成されている。また、筐体保持具２０の他端部は、第１筐体１１０の前面に沿うように＋Ｙ方向に向かって屈曲する。筐体保持具２０は、屈曲した先端部分で第２筐体１３０を保持するように形成されている。これにより、第２筐体１３０は、第１筐体１１０と隣接するように保持される。また、第２筐体１３０が端子部１２０と重ならないように保持されるため、作業員の配線作業の支障とならない。以下、筐体保持具２０の構成について、詳細に説明をする。
【００２９】
＝＝筐体保持具２０の構成＝＝
図６に示すように、筐体保持具２０は、例えば、突起片２１と、平板２２と、保持片２３と、を含んで構成される。
【００３０】
突起片２１は、筐体保持具２０の一端部に設けられる部材である。突起片２１は、例えば絶縁材料で形成されている。絶縁材料は、例えばポリカーボネートやアクリルなどである。突起片２１は、例えば、一方の端部には突起２１Ｂを有し、他方の端部には第３嵌入孔２１Ａを有する。突起２１Ｂは、スマートメーター１００の挿入孔１０１と嵌合する大きさのものである。第３嵌入孔２１Ａは、平板２２と嵌合する大きさの孔である。第３嵌入孔２１Ａの内周面には、例えばゴム状の滑り止めが設けられている。これにより、容易に抜け出さないように、平板２２の嵌入された状態を保持できる。
【００３１】
平板２２は、筐体保持具２０の一端部と他端部との間に設けられる部材である。平板２２は、例えば、略直方体の平板形状を呈し、絶縁材料で形成されている。絶縁材料は、例えばポリカーボネートやアクリルなどである。平板２２は、第３嵌入孔２１Ａと嵌合する大きさの断面（ＸＹ断面）を有する。平板２２の長手方向（Ｘ方向）の長さは、平板２２が第３嵌入孔２１Ａに嵌合された状態において、平板２２の＋Ｘ方向側の端部が第１筐体１１０の前面からはみ出す長さとする。第２筐体１３０と第１筐体１１０の前面とが対向するように保持するためである。平板２２は、第１筐体１１０の底面に沿うように配置される。平板２２の表面は、第３嵌入孔２１Ａから容易に抜け出さないように、摩擦力を生じるような凹凸を有する表面形状であることが好ましい。
【００３２】
保持片２３は、筐体保持具２０の他端部に設けられる部材である。保持片２３は、筐体保持具２０がスマートメーター１００に接続された状態において、＋Ｚ方向から見てＬ型形状を呈し、Ｚ方向の幅を有する。保持片２３は、例えば絶縁材料で形成されている。絶縁材料は、例えばポリカーボネートやアクリルなどである。保持片２３は、一方の端部に平板２２が挿入される貫通孔２３Ａを有する。貫通孔２３Ａは、一方の端部から直線的に反対側に向かって貫通する孔である。これにより、平板２２は、保持片２３の内部を貫通することができる。つまり、保持片２３は、平板２２が貫通孔２３Ａを突き抜ける長さに応じて、第２筐体１３０の位置を調整することができる。なお、保持片２３の貫通孔２３Ａと、平板２２と、を含んで調整部材ということもある。保持片２３は、他方の端部に第２筐体１３０の凸部１３１が挿入される第４嵌入孔２３Ｂを有する。第４嵌入孔２３Ｂは、凸部１３１と嵌合する大きさの孔である。第４嵌入孔２３Ｂの深さは、凸部１３１の突出長さよりも深く形成されている。第４嵌入孔２３Ｂの内周面には、例えばゴム状の滑り止めが設けられている。これにより、容易に抜け出さないように、凸部１３１が挿入された状態を保持できる。
【００３３】
なお、第１実施形態に係る平板１２と第２実施形態に係る平板２２とは、その構造が同一であってもよい。また、第１実施形態に係る保持片１３と第２実施形態に係る保持片２３とは、その構造が同一であってもよい。つまり、第１実施形態に係る筐体保持具１０と第２実施形態に係る筐体保持具２０とは、第１実施形態に係る引掛片１１と第２実施形態に係る突起片２１とが異なるのみであって、それらを取り換えて使用できるものであることが好ましい。
【００３４】
＝＝筐体保持具２０の使用手順＝＝
図４、図５、図６を参照しつつ、第２実施形態に係る筐体保持具２０の使用手順について、以下のとおり説明する。
【００３５】
作業員は、作業対象のスマートメーター１００を確認する。作業員は、感電防止のために、絶縁手袋を装着する。作業員は、スマートメーター１００の保護カバー（不図示）を取り外す。作業員は、第２筐体１３０および端子部１２０を確認する。図４に示すように、作業員は、スマートメーター１００の挿入孔１０１から第２筐体１３０の凸部１３１を取り外す。そして、第２筐体１３０が取り外された状態において、第１筐体１１０と第２筐体１３０が通信ケーブル１４０で接続されていることを確認する。
【００３６】
作業員は、筐体保持具２０の各部材（突起片２１、平板２２、保持片２３）を準備する。図６に示すように、作業員は、筐体保持具２０を組み立てる。先ず、突起片２１の第３嵌入孔２１Ａに平板２２の一方の端部を挿入する。作業員は、平板２２が第３嵌入孔２１Ａから容易に抜け出さないことを確認する。次に、平板２２の他方の端部を保持片２３の貫通孔２３Ａに貫入する。作業員は、平板２２が貫通孔２３Ａから容易に抜け出さないことを確認する。この状態において、作業員は、筐体保持具２０の突起片２１をスマートメーター１００の挿入孔１０１に嵌入する。そして、第２筐体１３０の凸部１３１を保持片２３の第４嵌入孔２３Ｂに嵌入する。図５に示すように、第２筐体１３０は、筐体保持具２０を介してスマートメーター１００に保持される。作業員は、第２筐体１３０が第１筐体１１０の前面の近くで保持されるように調整する。図４に示すように、第２筐体１３０の位置の調整は、保持片２３を平板２２に沿って前後（Ｘ方向）させることにより行う。これにより、第１筐体１１０と第２筐体１３０とを通信可能に結ぶ通信ケーブル１４０の延長の範囲内で、第２筐体１３０を保持することができる。
【００３７】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。例えば、以下に示すようなものも含まれる。
【００３８】
＝＝＝その他の実施形態＝＝＝
＜＜筐体保持具１０＞＞
上記において、筐体保持具１０は、引掛片１１と、平板１２と、保持片１３と、を含んで構成されているとして説明したが、これに限定されない。例えば、樹脂成型などによる一体的な構造により形成されていてもよく、各部品に分解されるものでなくてもよい。
【００３９】
＜＜筐体保持具２０＞＞
上記において、筐体保持具２０は、突起片２１と、平板２２と、保持片２３と、を含んで構成されているとして説明したが、これに限定されない。例えば、樹脂成型などによる一体的な構造により形成されていてもよく、各部品に分解されるものでなくてもよい。
【００４０】
＜＜引掛片１１＞＞
引掛片１１の第１嵌入孔１１Ａは、図３において貫通していないように示しているが、これに限定されない。第１嵌入孔１１Ａは、例えば貫通している孔でもよい。これにより、引掛片１１は、平板１２が当該孔を突き抜ける長さに応じて第２筐体１３０の位置を調整できる。
【００４１】
引掛片１１には、第１嵌入孔１１Ａが設けられる端部とは反対側の端部にも嵌入孔が設けられていてもよい。これにより、作業性が向上する。
【００４２】
上記において、引掛片１１と平板１２とは別々に設けられているように記載したが、これに限定されない。例えば、引掛片１１と平板１２とは、樹脂成型などにより一体的に形成されていてもよい。
【００４３】
＜＜保持片１３，２３＞＞
保持片１３，２３の貫通孔１３Ａ，２３Ａは、図３、図６において貫通しているように示しているが、これに限定されない。貫通孔１３Ａ，２３Ａは、例えば貫通していない孔でもよい。この場合、予め第１筐体１１０のＹ方向の長さに合わせて平板１２，２２を作成していればよい。または、上述したように、引掛片１１に貫通している孔を設けていてもよい。
【００４４】
上記において、保持片１３，２３と平板１２，２２とは別々に設けられているように記載したが、これに限定されない。例えば、保持片１３，２３と平板１２，２２とは、樹脂成型などにより一体的に形成されていてもよい。
【００４５】
＜＜平板１２，２２＞＞
上記において、筐体保持具１０，２０には平板１２，２２を含んで構成されているとして説明したが、これに限定されない。例えば、上述したように、平板１２，２２は、引掛片１１や保持片１３，２３と樹脂成型などにより一体的に構成されていてもよい。
【００４６】
＝＝＝まとめ＝＝＝
以上説明したように、本実施形態に係る筐体保持具１０，２０は、電気諸量を測定する測定部が収容される第１筐体１１０と、測定部（不図示）から取得される電気諸量を示すデータを通信する通信部（不図示）が収容される第２筐体１３０と、電力ケーブルが接続される端子部１２０と、を含んで構成されるスマートメーター１００に用いられる筐体保持具１０，２０であって、スマートメーター１００から取り外された第２筐体１３０が、端子部１２０が露出した状態において、第１筐体１１０に隣接するように、第１筐体１１０と第２筐体１３０の間に介在して第２筐体１３０を保持することを特徴とする。本実施形態によれば、第１筐体１１０から通信ケーブル１４０を外すことなく第２筐体１３０を保持することができるため、作業効率の向上が図れる。
【００４７】
又、本実施形態に係る筐体保持具１０において、筐体保持具１０は、第１筐体１１０の天面に引っかけられる引掛片１１と、第１筐体１１０の天面と底面の間に介在する周面（前面）から離れるように延びて、第２筐体１３０を保持する保持片１３と、引掛片１１および保持片１３をつなぐように、第１筐体１１０の周面（前面）に沿って設けられる平板１２と、を備えることを特徴とする。本実施形態によれば、第１筐体１１０から通信ケーブル１４０を外すことなく第２筐体１３０を引掛けることにより簡単に保持することができるため、作業効率の向上が図れる。
【００４８】
又、本実施形態に係る筐体保持具１０において、第１筐体１１０の天面と底面との間の距離に応じて、引掛片１１と保持片１３の間の距離を調整する調整部材（平板１２，貫通孔１３Ａを有する保持片１３）をさらに備えることを特徴とする。本実施形態によれば、第１筐体１１０の大きさに応じて長さを調整することができるため、製作コストの縮減が図れる。
【００４９】
又、本実施形態に係る筐体保持具２０において、スマートメーター１００は、第１筐体１１０の底面の下方側に挿入孔１０１を有し、筐体保持具２０は、挿入孔１０１と嵌り合う突起片２１と、第１筐体１１０の天面と底面の間に介在する周面（前面）に沿うように、第１筐体１１０の底面から天面に向かう方向に延びて、第２筐体１３０を保持する保持片２３と、突起片２１および保持片２３をつなぐように、第１筐体１１０の底面に沿って設けられる平板２２と、を備えることを特徴とする。本実施形態によれば、第１筐体１１０から通信ケーブル１４０を外すことなく、スマートメーター１００の挿入孔１０１を有効活用して第２筐体１３０を強固に保持することができるため、作業効率の向上が図れる。
【００５０】
又、本実施形態に係る筐体保持具２０において、挿入孔１０１と周面との間の距離に応じて、突起片２１と保持片２３の間の距離を調整する調整部材（平板２２，貫通孔２３Ａを有する保持片２３）をさらに備えることを特徴とする。本実施形態によれば、第１筐体１１０の大きさに応じて長さを調整することができるため、製作コストの縮減が図れる。
【符号の説明】
【００５１】
１０  筐体保持具
１１  引掛片
１２  平板
１３  保持片
２０  筐体保持具
２１  突起片
２２  平板
２３  保持片
１００  スマートメーター
１０１  挿入孔
１１０  第１筐体
１２０  端子部
１３０  第２筐体
【図１】
2018059764.tif 000003
【図２】
2018059764.tif 000004
【図３】
2018059764.tif 000005
【図４】
2018059764.tif 000006
【図５】
2018059764.tif 000007
【図６】
2018059764.tif 000008
【図７】
2018059764.tif 000009